(57)【要約】      （修正有）【課題】立体的となっている作品を反映し、より一層三次元的に視覚に捉えられることとなり、通常、平面的となりなりがちな作品（対象物）を広がりをもった立体的なものとすることができる、額縁の装着構造を提供する。【解決手段】額縁と収容対象物との間に、前記収容対象物の周縁を囲む光反射体をその一部を露呈させて挟持保有してあることとし、光反射体は周縁をテーパ状に面取りしたミラーとし、接着手段を介して前記収容対象物の前面を覆う透明ガラスに固着してあることとし、面取りミラーは複数のピースに分割され、それを枠状に組み合わせることとし、光反射体はシート状のミラーとし、そのシート状のミラーに周縁をテーパ状に面取りした透明のガラス又はプラスチック板体を重合したものとしたこととする。【選択図】図１
0003112214.tif 000002
【実用新案登録請求の範囲】
【請求項１】
額縁と収容対象物との間に、前記収容対象物の周縁を囲む光反射体をその一部を露呈させて挟持保有してあることを特徴とする額縁の装着構造。
【請求項２】
前記した光反射体は周縁をテーパ状に面取りしたミラーとし、接着手段を介して前記収容対象物の前面を覆う透明ガラスに固着してあることを特徴とする請求項１に記載の額縁の装着構造。
【請求項３】
前記した面取りミラーは複数のピースに分割され、それを枠状に組み合わせることを特徴とする請求項１または請求項２に記載の額縁の装着構造。
【請求項４】
前記した光反射体はシート状のミラーとし、そのシート状のミラーに周縁をテーパ状に面取りした透明のガラス又はプラスチック板体を重合したものとしたことを特徴とする請求項１に記載の額縁の装着構造。
【考案の詳細な説明】
【技術分野】
【０００１】
本考案は額縁、主として絵画、版画やポスター、押し花アート、写真、石、ガラスアート等のベースとなるボードや紙上に表現される、屋内装飾用あるいは展示用の対象物を傷つけることなく、より一層豪華に美感を高めることができる額縁の装着構造に関する。
【背景技術】
【０００２】
従来、絵画は紙やキャンパス上に絵の具やその他の筆記具、木炭等をもって描かれ、押し花アートや石、ガラス等を用いたアートは厚紙等で裏張りした紙や布等のベース上に押圧して得られた花弁や葉等あるいは石片、ガラス片等を組み合わせ重合させ、所望の図柄を表出する。
【０００３】
特に押し花アートの場合、硬質の当て紙板上に、好みの色彩紙やフェルト等の布地を配し、その色彩紙や布地等上に押圧成形した花弁や葉類を配設、重合させて所望の図柄を表出させる。この表面には、外衝を防護し、また、位置ずれを防止するため透明ガラス板を重合し、額縁に収容セットする。
【０００４】
この際、押し花アートは、花弁や葉等の重合によってある程度の立体性が生じるものであり、表面に重合する透明ガラス板による潰れを防止し、内部の気密性を保つため、前記した色彩紙や布等の背面にアルミニウム等の箔を配し、その箔を押し花アートの外周に枠状に盛り上がらせて形成し、そこに透明ガラス板を当てることによって前記した防止と気密性を得るようにしてある。
【０００５】
しかしながら、前記した状態で押し花アートを額縁に収容すると、箔が表出してしまうこととなるため、従来はこの箔の存在を隠すため、その箔に重なる枠紙を当て、その状態で額縁に収容することとしている。
【特許文献１】特開平７−５９６３９号公報
【考案の開示】
【考案が解決しようとする課題】
【０００６】
本考案が解決しようとする問題点は、特に押し花アートに関して、その周囲を表出する箔の存在を隠すため、枠紙を用いることは、常に、その押し花アートの背景として画一されたものとなってしまい、変化に乏しく、製作者側からも鑑賞者側からもマンネリになってしまうことから飽きが生じてしまうという点であり、常にその表現が平面的に止まってしまうという点である。
【課題を解決するための手段】
【０００７】
この問題点を解決するために、本考案に係る額縁の装着構造は額縁と収容対象物との間に、前記収容対象物の周縁を囲む光反射体をその一部を露呈させて挟持保有してあることを特徴とし、前記した光反射体は周縁をテーパ状に面取りしたミラーとし、接着手段を介して前記収容対象物の前面を覆う透明ガラスに固着してあることを特徴とし、前記した面取りミラーは複数のピースに分割され、それを枠状に組み合わせることを特徴としている。
【０００８】
また、本考案に係る額縁の装着構造は前記した光反射体はシート状のミラーとし、そのシート状のミラーに周縁をテーパ状に面取りした透明のガラス又はプラスチック板体を重合したものとしたことを特徴としている。
【考案の効果】
【０００９】
本考案に係る額縁の装着構造は上記のように構成されている。そのため、特に押し花アートを額縁に収容するに際し、必然的に枠状として表出する箔をミラー等により隠し、そのミラー等は面取りされたテーパ面を有しているので、立体的となっている作品を反映し、より一層三次元的に視覚に捉えられることとなり、通常、平面的となりなりがちな作品（対象物）を広がりをもった立体的なものとすることができ、豪華なものとなり、雅趣に富んだ装着構造とすることができる。
【考案を実施するための最良の形態】
【００１０】
図面として示す実施例のように構成することで実現した。
【実施例１】
【００１１】
次に、本考案の好ましい実施の例を図面を参照して説明する。図１は本考案に係る額縁の装着構造を実施した押し花アートを示す正面図、図２は同じく断面図、図３は収容対象物としての押し花アートを示す斜視図、図４は面取りミラーのピースを示す図、図５は同じく断面図、図６は同じく面取りミラーによるコーナーの組み合わせを示す図、図７は同じくコーナーをアールとする面取りミラーのピースを示す図、図８は組み合わせで楕円部を形成する面取りミラーのピースを示す図、図９はシート状ミラーとプラスチック、又はガラスの重合状態を示す図である。
【００１２】
これらの図にあって１は額縁本体を示しており、この実施例にあって額縁本体１は矩形状に形成され前面には枠状とした無端のアングルフランジ１ａが一体に形成されている。２はこの額縁本体１に収納される対象物としての押し花アートを示しており、この押し花アート２は硬質の当て紙３上に、例えばフェルト等のベース４を重合積層させ、そのベース４上に押圧して得られた花弁、葉等の押し花５、５‥を重合配置させて形成されている。
【００１３】
また、ベース４の裏面にはアルミニウム等の金属箔６が配備され、その金属箔６が枠状にベース４の周囲に盛り上がって表出される。この金属箔６の盛り上がりは前記した花弁、葉等の押し花５、５‥の重合高さ（厚さ）と略合致される程度か、それよりもやや高く（厚く）形成される。そして、この枠状に表出された金属箔６の盛り上がりに当接させて、透明のガラス板７が重合積層される。
【００１４】
このように構成された押し花アート２は背面に緩衝用の段ボール紙８を介在させて、押え板９を嵌め付け、その押え板９を回動される押え爪１６、１６‥で押えることで額縁本体１へ収容装着されることとなる。この収容装着の際に、従来は金属箔６を隠すため枠状の型紙を額縁本体１のアングルフランジ１ａとガラス板７との間に挟持させることとしていた。
【００１５】
ここで、本考案の場合は前記した型紙に代えて、周縁にテーパ状の面取り部１０ａ、１０ａ‥を略４５度の角度で形成した面取りミラー１０を両面テープ等の接着手段を介して貼着した後挟持させることとしている。本実施例にあって、この面取りミラー１０は複数に分割したピースとし、そのピースを順次並べて用いることとしている。
【００１６】
また、前記した面取りミラー１０、１０‥は本実施例のように矩形とした額縁本体１に対応させるため、コーナー用ピース１１、１１‥も使用することとして、全体の組み合わせで枠状に形成する。このコーナー用ピース１１はやはり周縁にはテーパ状の面取り部１１ａ、１１ａ‥を形成しているがその一縁を略４５度とした台形状とすることで、直角のコーナーを形成することができるものとしている。
【００１７】
さらに、このコーナー用ピース１２は図７に示すような一体物とし、かつ、内側に直線部に代えてアール部１２ａを形成して、これを四隅に配することで、あたかも角丸の額縁本体１に押し花アート２を収納装着したような外観を得ることができる。
【００１８】
また、図８に示す面取りミラー１３は特殊な異形形状とされており、この面取りミラー１３を例えば四個組み合わせると内側のアール部１３ａによって楕円状の枠を形成することができ、これは楕円をした額縁本体１に対して使用するほか、押し花アート２の表面一部に強調したパート等を囲んで装着する等し、より装飾性を高めることも可能としている。
【００１９】
そして、前記した面取りミラー１０、１１、１２、１３等に代え、図９として示す構成を採用することもできる。この場合は薄いシート状ミラー１４、即ち、プラスチックシート等の表面にアルミニウム粉等を蒸着したミラーを用い、このシート状ミラー１４の上面（表面）にアクリル等の透明プラスチック、又はガラスのブロック１５を重合した構成とする。この透明プラスチック、又はガラスのブロック１５の周縁にもテーパ状の面取り部１５ａが形成されており、効果として前記した面取りミラー１０、１１、１２、１３等と同等のものが得られることとなる。
【産業上の利用可能性】
【００２０】
本考案に係る額縁の装着構造は上述のように構成されている。ここに額縁は壁掛け用のものは勿論、卓上式や、イーゼル状の台を用いた床据え式のものにまで広く実施することができる。
【００２１】
また、収容対象物も、本実施例では押し花アートを例としているが、その他通例の絵画は勿論、ケースに入れた昆虫、鉱石、貝殻等の標本、切手や古銭等のコレクション、あるいは美術織物等の飾り付けや展示にも幅広く応用実施することができ、それも一般的な家庭や事務所等に限らず、美術館、博物館等にあっても利用することができるものとなっている。
【図面の簡単な説明】
【００２２】
【図１】本考案に係る額縁の装着構造を実施した押し花アートを示す正面図である。
【図２】断面図である。
【図３】収容対象物としての押し花アートを示す斜視図である。
【図４】面取りミラーのピースを示す図である。
【図５】断面図である。
【図６】面取りミラーによるコーナーの組み合わせを示す図である。
【図７】コーナーをアールとする面取りミラーのピースを示す図である。
【図８】組み合わせで楕円部を形成する面取りミラーのピースを示す図である。
【図９】シート状ミラーとプラスチック、又はガラスの重合状態を示す図である。
【符号の説明】
【００２３】
１      額縁本体
１ａ    アングルフランジ
２      押し花アート
３      当て紙
４      ベース
５      押し花
６      金属箔
７      ガラス板
８      段ボール紙
９      押え板
１０    面取りミラー
１０ａ  面取り部
１１    コーナー用ピース
１１ａ  面取り部
１２    面取りミラー
１２ａ  アール部
１３    面取りミラー
１３ａ  アール部
１４    シート状ミラー
１５    透明プラスチック、又はガラスのブロック
１５ａ  面取り部
１６    押え爪
【図１】
0003112214.tif 000003
【図２】
0003112214.tif 000004
【図３】
0003112214.tif 000005
【図４】
0003112214.tif 000006
【図５】
0003112214.tif 000007
【図６】
0003112214.tif 000008
【図７】
0003112214.tif 000009
【図８】
0003112214.tif 000010
【図９】
0003112214.tif 000011